(57)【要約】【課題】温度センサー４の外形寸法と略同一大きさのセンサー保持部４ａでは、空間部の寸法がばらついた場合に圧縮機温度を正確に測定できない場合があり、最悪の場合は、センサー４が圧縮機シェル１ａに接触しない場合があった。また、保護カバーボルトで固定する方法では、一点での固定のため、保護カバーの成型具合いによっては、温度センサー４が十分に押し付けられずに温度測定に誤差の生ずることがあった。【解決手段】その端面から所定の寸法だけ温度センサー４を突出させて保持するセンサー保持部４ａを持つセンサーホルダー２であって、センサー保持部４ａが温度測定部位に押着されるようにセンサーホルダー２本体をバネで固定したものである。【選択図】図１ 
2005308360.tif 000002
【特許請求の範囲】
【請求項１】
その端面から所定の寸法だけセンサーを突出させて保持するセンサー保持部を持つセンサーホルダーであって、前記センサーが温度測定部位に押着されるようにセンサーホルダー本体がバネで固定されたことを特徴とするセンサーホルダー。
【請求項２】
センサーをセンサーホルダーの内壁面あるいは外壁面に略沿わせて保持したことを特徴とする、請求項1記載のセンサーホルダー。
【請求項３】
センサーから延出する信号線を保持する信号線保持部をセンサーホルダーの一部に設けたことを特徴とする、請求項１〜２のいずれかに記載のセンサーホルダー。
【請求項４】
センサー保持部の一部を開口したことを特徴とする、請求項１〜３のいずれかに記載のセンサーホルダー。
【請求項５】
請求項１〜４のいずれかに記載のセンサーホルダーの壁面を延出してターミナルを覆う部位を設けたセンサーホルダーを搭載したことを特徴とする空気調和機。
【発明の詳細な説明】
【技術分野】
【０００１】
本発明は、保持方法に特徴のあるセンサーホルダーに関するものである。
【背景技術】
【０００２】
従来、空気調和機や冷蔵庫などの冷凍サイクルを構成する圧縮機の温度上昇を防止、保護する温度センサーは、金属製のセンサー保持板に取付けられていた（例えば、特許文献１参照）。また、ターミナル保護カバーの一部を延出して形成した空間部に嵌め込んで固定するものもある（例えば、特許文献２参照）。
【０００３】
図５は特許文献２に記載された従来の圧縮機の温度センサー保持装置を示すものである。図５に示すように、温度センサー５７を圧縮機５１の外表面に密着固定するためのセンサー保持部６５をターミナル保護カバー６３から延出して形成し、センサー保持部６５は温度センサー５７の外形寸法と略同一大きさで、下方を開口部６５ａとした空間部６５ｃと、空間部６５ｃの片端にセンサーリード線５７ａを引き出すための開口空間６５ｄを形成して、温度センサー５７を空間部６５ｃに嵌め込み仮固定して、ターミナル保護カバー６３をターミナル５８に被せ、保護カバー固定ボルト５９とナット６４で固定して温度センサー５７を保持する構成となっている。
【特許文献１】特開２００２−１８８５７１号公報
【特許文献２】特開２００２−１８８５７０号公報
【発明の開示】
【発明が解決しようとする課題】
【０００４】
しかしながら、前記従来の構成では、次のような課題があった。即ち、温度センサーの外形寸法と略同一大きさのセンサー保持部では、センサー保持部の奥行き寸法が大きめにばらついた場合にセンサー保持部の奥部にセンサーが入り込んでしまい、圧縮機表面に接触せず、圧縮機温度を正確に測定できない場合があった。また、保護カバーボルトで固定する方法では、一点での固定のため、保護カバーの成型具合いによっては、温度センサーが十分に押し付けられずに温度測定に誤差の生ずることがあった。
【０００５】
本発明は、前記従来の課題を解決するもので、より取付簡便で確実な温度測定を可能とするセンサーホルダーを提供することを目的とする。
【課題を解決するための手段】
【０００６】
前記従来の課題を解決するために、本発明のセンサーホルダーは、その端面から所定の寸法だけセンサーを突出させて保持するセンサー保持部を持つセンサーホルダーであって、前記センサーが温度測定部位に押着されるようにセンサーホルダー本体がバネで固定されたことを特徴とするものである。
【０００７】
これによって、センサーを温度測定部位に確実に接触させることが可能となるものである。
【発明の効果】
【０００８】
本発明のセンサーホルダーは、センサー保持部の寸法のバラツキが原因でセンサー保持部の端面よりセンサーの感温部が突出しない状態、すなわち被測定部にセンサーが接触しない状態になることがなく、センサーを被測定部位に確実に接触させることが可能となるため、被測定部位の温度をより正確に、確実に測定することが可能となるものである。
【０００９】
また、センサーホルダーをナットによらずバネで押着するため、常に一定の押付け力で被測定部にセンサーが接触するので、測定感度を一定に保つことができ、取付性の向上ならびにコスト低減が図れる。
【発明を実施するための最良の形態】
【００１０】
第１の発明は、その端面から所定の寸法だけセンサーを突出させて保持するセンサー保持部を持つセンサーホルダーであって、前記センサーが温度測定部位に押着されるようにセンサーホルダー本体がバネで固定されたことにより、センサー保持部の寸法のバラツキが原因でセンサー保持部の端面よりセンサーの感温部が突出しない状態、すなわち被測定部にセンサーが接触しない状態になることがなく、センサーを被測定部位に確実に接触させることが可能となるため、被測定部位の温度をより正確に、確実に測定することが可能となるものである。また、センサーホルダーをナットによらずバネで押着するため、常に一定の押付け力で被測定部にセンサーが接触するので、測定感度を一定に保つことができ、取付性の向上ならびにコスト低減が図れる。
【００１１】
第２の発明は、特に第１の発明において、センサーをセンサーホルダーの内壁面あるいは外壁面に略沿わせて保持したことにより、センサーを確実にセンサーホルダーに取付けることができ、一体成型品を製作する際に強度的に強く、同時に簡素な金型を作ることが可能となる。
【００１２】
第３の発明は、特に第１〜２のいずれか一つの発明において、センサーから延出する信号線を保持する信号線保持部をセンサーホルダーの一部に設けたことにより、信号線をセンサーホルダーの一部に固定することが可能となり、センサーの外れを防止し、センサーから延出する信号線がセンサーホルダーに噛み込むなどの不具合いをより確実に解消することができる。また、信号線が温度測定部位に接触しないように引き回すことができるため、信号線が温度測定部位の温度の影響を受けることがなく、劣化を防止でき、信号線の信頼性を増すことが可能となる。
【００１３】
第４の発明は、特に第１〜３のいずれか一つの発明において、センサー保持部の一部を開口したことにより、センサーをより確実にセンサーホルダーに取付けることができ、また、センサーホルダーを温度測定部位に押着した状態でセンサーがセンサーホルダーに確実に取付けてあることを確認でき、さらに、金型などで一体成型にてセンサーホルダーを製作する場合にセンサー保持部側にセンサー抜け防止の突起を設けることが可能となる。また、センサーの長手方向に開口部を設けることにより、センサーから延出する信号線をセンサー保持部から容易に引き出すことが可能となり、取付け方向の間違いを防ぐことが可能となり、取付け性の向上が期待できる。
【００１４】
第５の発明は、特に空気調和機に第１〜４のいずれか一つの発明のセンサーホルダーの壁面を延出してターミナルを覆う部位を設けたセンサーホルダーを搭載したので、センサーを取付けた状態でターミナルを覆うようにセンサーホルダーを固定することができるため、固定作業の容易化ならびに作業性を向上させることができ、また、ターミナルカバーとセンサーホルダーが一体化されているので、部品点数を減らすことができる。
【００１５】
以下、本発明の実施の形態について、図面を参照しながら説明する。なお、この実施の形態によって本発明が限定されるものではない。
【００１６】
（実施の形態１）
図１、図２、図３、図４は、それぞれ本発明の第1の実施の形態におけるセンサーホルダーの斜視図（圧縮機上に搭載）、同平面図、図２のＡ−Ａ線における断面図、およびセンサーホルダーの正面、側面、上面、下面、背面の各方面図を示すものである。図におい
て、圧縮機１は上シェル１ａおよびターミナル部１ｂで構成されており、上シェル１ａの外表面頂部には、圧縮機温度センサー４を保持したセンサーホルダー２が、先端を曲げたバネ３により折曲片９ａ、９ｂに係止して固定されている。
【００１７】
この時、圧縮機温度センサー４は、センサーホルダー２の端面（図の下側）から少しだけ下方に突出するようにセンサー保持部４ａに保持されており、こうすることで圧縮機温度センサー４をシェル１ａに確実に接触させることが可能となるため、シェル１ａの温度をより正確に、確実に測定することが可能となる。また、センサーホルダー２をナットによらずバネ３で押着するため、常に一定の押付け力で被測定部に圧縮機温度センサー４が接触するので、測定感度を一定に保つことができ、取付性の向上ならびにコスト低減が図れる。
【００１８】
また、圧縮機温度センサー４は、センサーホルダー２の内壁面に略沿わせて保持されるような構成となっているため、圧縮機温度センサー４を確実にセンサーホルダー２に取付けることができ、一体成型品を製作する際に強度的に強く、同時に簡素な金型を作ることが可能となる。
【００１９】
一方、圧縮機温度センサー４から延出する信号線５は、センサーホルダー２の一部に設けられた信号線保持部６ａ、６ｂ、６ｃにより固定されているので、センサーの外れを防止し、センサーから延出する信号線がセンサーホルダーに噛み込むなどの不具合いをより確実に解消することができる。また、信号線が温度測定部位に接触しないように引き回すことができるため、信号線が温度測定部位の温度の影響を受けることがなく、且つ劣化を防止でき、信号線の信頼性を増すことが可能となる。
【００２０】
また、センサー保持部４ａの一部を開口して開口部７ａを設けたことにより、圧縮機温度センサー４をより確実にセンサーホルダー２に取付けることができ、また、センサーホルダー２をシェル１ａに押着した状態で圧縮機温度センサー４がセンサーホルダー２に確実に取付けてあることを確認できる。また、センサー保持部４ａの一部が開口していれば、金型などで一体成型にてセンサーホルダー２を製作する場合に、圧縮機温度センサー４の抜け防止の舌片８をセンサー保持部４ａ側に設けることが可能となる。また、圧縮機温度センサー４の長手方向に開口部７ｂを設けることにより、圧縮機温度センサー４から延出する信号線５をセンサー保持部４ａから容易に引き出すことが可能となり、取付け方向の間違いを防ぐことが可能となり、取付け性の向上が期待できる。
【００２１】
さらに、センサーホルダー２の壁面を延出してターミナルを覆う部位を設けたセンサーホルダー２とすることにより、圧縮機温度センサー４を取付けた状態でターミナルを覆うようにセンサーホルダー２を固定することができるため、固定作業の容易化ならびに作業性を向上させることができ、また、ターミナルカバーとセンサーホルダー２が一体化されているので、部品点数を減らした空気調和機を提供することができる。
【００２２】
なお、本実施の形態において、センサーホルダー２は先端を曲げたバネ３により折曲片９ａ、９ｂに係止して固定する方法を説明したが、別のバネ形状であったり、折曲片が存在しない場合であったり、他の形状や方法により固定される場合であっても技術的に同等であり、上記方法に限定されるものではない。
【００２３】
また、本実施の形態において、信号線保持部６ａ、６ｂ、６ｃは信号線の下面と上面を固定するような方法を説明したが、スリットを設けて固定したり、センサーホルダー２に沿わせて固定したりしても良く、他の形状や方法により固定される場合であっても構わず、上記方法に限定されるものではない。
【００２４】
さらに、本実施の形態において、センサー保持部４ａの上面ほぼ中央と長手方向に開口部を設けたもので説明したが、他の部位に開口部を設けた場合や、もっと数多くの開口部を設けても技術的に同等であり、上記開口場所に限定されるものではない。
【産業上の利用可能性】
【００２５】
以上のように、本発明にかかるセンサーホルダーは、その端面から所定の寸法だけセンサーを突出させて保持するセンサー保持部を持つセンサーホルダーであって、前記センサー保持部が温度測定部位に押着されるようにセンサーホルダー本体がバネで固定されたことを特徴とし、例えば、空気調和機などの圧縮機温度センサーのセンサーホルダーなどの用途に適用できる。
【図面の簡単な説明】
【００２６】
【図１】本発明の実施の形態１におけるセンサーホルダーの斜視図
【図２】本発明の実施の形態１におけるセンサーホルダーの平面図
【図３】本発明の実施の形態１における図２のＡ−Ａ線の断面図
【図４】本発明の実施の形態１におけるセンサーホルダーの正面、側面、上面、下面、背面の各方面図
【図５】従来のセンサーホルダーの断面図
【符号の説明】
【００２７】
１  圧縮機
１ａ  シェル
１ｂ  ターミナル部
２  センサーホルダー
３  バネ
４  圧縮機温度センサー
４ａ  センサー保持部
５  信号線
６ａ、６ｂ、６ｃ  信号線保持部
７ａ、７ｂ  開口部
８  舌片
９ａ、９ｂ  折曲片
【図１】
2005308360.tif 000003
【図２】
2005308360.tif 000004
【図３】
2005308360.tif 000005
【図４】
2005308360.tif 000006
【図５】
2005308360.tif 000007